(57)【特許請求の範囲】
【請求項１】
載置台、取り外し機構及びカバーを含む部品交換装置において、
前記載置台は、前記カバーの上で装着位置と開放位置とへ移動可能に設けられ、
前記取り外し機構は、ドローバー及びロック部を含み、前記カバーに装着されて載置台の開閉を制御し、
前記ロック部は、前記載置台の移動方向に略直交する方向へ移動可能に設けられたロック棒と、該ロック棒に装着されて弾性力を提供するスプリングとを含み、
前記ドローバーには、ガイド部が設けられ、
前記ドローバーには、前記ロック棒の移動方向に略直交する方向へ延びる滑動段と、前記滑動段より前記載置台に近接した位置で前記滑動段に略平行して延びる最初段と、前記最初段と前記滑動段とを傾斜した状態で連結する作用段とを有するガイド部が設けられ、
前記ロック棒には、スプリングの弾性力によって前記ガイド部に圧接される受力柱が設けられ、
前記載置台には、前記ロック棒に係合されて、前記載置台をロックする嵌合部が設けられ、
前記ドローバーを前記載置台の移動方向に略平行な方向へ移動させると、前記受力柱がガイド部によって案内され、
前記受力柱が前記最初段に位置する時、前記ロック棒が嵌合部に嵌合されて、前記載置台がロック状態になるとともに、
前記受力柱が前記滑動段に位置する時、前記ロック棒が嵌合部から離間して、前記載置台のロック状態が解除される
ことを特徴とする部品交換装置。
【請求項２】
前記ドローバーの一端には、ドローバーを引く際に前記載置台を牽引するための牽引部が設けられていることを特徴とする請求項１に記載の部品交換装置。
【請求項３】
前記牽引部が前記載置台に接近し、前記載置台が前記牽引部の移動経路に置かれることを特徴とする請求項２に記載の部品交換装置。
【請求項４】
前記ドローバーの他端には、ドローバーを引くための取っ手が設けられていることを特徴とする請求項２に記載の部品交換装置。
【請求項５】
前記取り外し機構は、係合孔を備える係合部を更に含み、
前記ドローバーには、前記係合孔に挿入されて係合される嵌入部が設けられていることを特徴とする請求項１に記載の部品交換装置。
【請求項６】
前記ドローバーには、略長方形で形成されて前記ドローバーの移動範囲を制限する位置決定用槽が設けられていることを特徴とする請求項１に記載の部品交換装置。
【請求項７】
前記ロック棒は、前記嵌合部に嵌合されて前記載置台を止動するシャフトを含み、
前記受力柱は、前記シャフトに設けられていることを特徴とする請求項１に記載の部品交換装置。
【請求項８】
前記シャフトの自由端には、斜面が設けられていることを特徴とする請求項７に記載の部品交換装置。
【請求項９】
前記ロック棒は、装着棒とフランジ部を含み、
前記フランジ部は、前記シャフトと装着棒を連結することを特徴とする請求項７に記載の部品交換装置。
【請求項１０】
前記スプリングが前記装着棒に装着されて、前記フランジ部を圧接することを特徴とする請求項９に記載の部品交換装置。
【請求項１１】
前記カバーには、互いに平行する第一装着板と第二装着板が設けられ、
前記第一装着板と第二装着板との間の距離が前記スプリングの自然長よりも短いことを特徴とする請求項１０に記載の部品交換装置。
【請求項１２】
前記第一装着板には、前記装着棒が通る第一切欠部が設けられていることを特徴とする請求項１１に記載の部品交換装置。
【請求項１３】
前記第二装着板には、前記シャフトが通る第二切欠部が設けられていることを特徴とする請求項１１に記載の部品交換装置。
【請求項１４】
前記第一装着板の両側には、前記スプリングが移動することを防ぐ２つの止動板が設けられていることを特徴とする請求項１２に記載の部品交換装置。
【請求項１５】
前記２つの止動板は、互いに略平行とされ、両者の間の距離が前記スプリングの長さより長いように、前記第一装着板に垂直に形成されていることを特徴とする請求項１４に記載の部品交換装置。
【請求項１６】
前記嵌合部は、前記載置台の側壁に凹設されていることを特徴とする請求項１に記載の部品交換装置。
【発明の詳細な説明】
【技術分野】
【０００１】
本発明は、部品交換装置、特に取り外し機構を利用して部品を交換する部品交換装置に関する。
【背景技術】
【０００２】
ノートパソコンは携帯性が高いので、ノートパソコンを携帯する必要がある多くの人に利用されている。ノートパソコンの携帯性を高めれば高めるほど、ノートパソコンの機能が低下するという問題がある。ノートパソコンの携帯性を維持するために、多くのメーカは、駆動時間が短い電池や小型のハードディスク等を利用している。この問題を解決するために、本発明は、ノートパソコンにＣＤ−ＲＯＭドライブを取り外し可能な構造を設けて、必要な場合に取り付けて、不要な場合には取り外すことができるようにした。ノートパソコンの機能性を高めようと思う時には、ＣＤ−ＲＯＭドライブを取り外し、このＣＤ−ＲＯＭドライブを取り外した部分に付加的に電池やハードディスク等を接続することができる。
【０００３】
本発明の部品交換装置は、前記ＣＤ−ＲＯＭドライブ等の部品を交換するために利用されるばかりでなく、ノートパソコンの機能性を高めるためにノートパソコンを乗せて機能を拡張するドッキングステーション（Docking Station）にも利用することができる。
【０００４】
従来の部品交換装置は、前記ＣＤ−ＲＯＭドライブ等の部品を置く載置台、取り外し機構及びカバーを含む。前記取り外し機構は、ドローバー、圧縮スプリング、ロック棒とロックスプリングを備えるロック部を含む。初期状態において、ロック部のロックスプリングの弾性力によって、前記ロック棒がドローバーに設けられた凹部に係合されるから、ドローバーが止動される。前記ＣＤ−ＲＯＭドライブ等の部品を取り外す際に前記ロック棒を引くと、ドローバーの止動状態が解除されるので、このドローバーがロックスプリングの弾性力によって外部へ移動する。その後に、前記載置台が外部へ移動されるようにドローバーを引いて、前記載置台の部品を交換する。
【０００５】
従来の部品交換装置では、前記載置台の部品を交換する際に前記ロック棒を引いて、ドローバーの止動状態を解除し、且つ前記載置台が外部へ移動されるようにドローバーを引かなければならなかった。即ち、前記載置台の部品を交換する過程が複雑になる。
【発明の開示】
【発明が解決しようとする課題】
【０００６】
以上の問題点に鑑みて、本発明は部品を交換する過程が簡単である部品交換装置を提供するのを目的とする。
【課題を解決するための手段】
【０００７】
載置台と、取り外し機構及びカバーを含む本発明の部品交換装置では、前記取り外し機構はドローバーとロック部とを含み、前記カバーに装着されて載置台の開閉を制御し；前記ロック部はロック棒と、このロック棒に装着されて弾性力を提供するスプリングとを含み；前記ドローバーにはガイド部が設けられ；前記ロック棒には、スプリングの弾性力によって前記ガイド部に圧接される受力柱が設けられ；前記載置台には、前記ロック棒に係合されて前記載置台をロックする嵌合部が設けられ；前記ドローバーを引くと、前記受力柱がガイド部によって移動され、且つ前記ロック棒が載置台に対するロック状態が解除される。
【発明の効果】
【０００８】
前記部品交換装置で、前記載置台の部品を交換する際に前記ドローバーを引くと、前記
ロック棒がガイド部によって移動される。前記ロック棒が移動されると、ロック棒が前記載置台に対する止動状態が解除されるので、前記載置台が推力によって外部へ移動する。即ち、前記載置台の部品を交換する過程が簡単になる。
【発明を実施するための最良の形態】
【０００９】
以下図面に基づいて、本発明の実施形態に係る部品交換装置に対して詳細に説明する
【００１０】
図１は、本発明の第一実施形態に係わる部品交換装置１２の立体図である。この部品交換装置１２は、載置台１４、取り外し機構２０及びカバー３０を含む。この部品交換装置１２は、ノートパソコン、ドッキングステーション（Docking Station）やデスクトップパソコン等に使用することができる。
【００１１】
載置台１４の上には、ＣＤ−ＲＯＭドライブ、ハードディスクや電池等が配置される。取り外し機構２０はカバー３０の上で載置台１４の片側に配置され、載置台１４の開閉を制御する。載置台１４が突出した場合には、この上に配置されたＣＤ−ＲＯＭドライブ、ハードディスクや電池等を交換するか、又は修理することができる。
【００１２】
図２は、本発明の第一実施形態に係る部品交換装置１２の分解図である。載置台１４には、ＣＤ−ＲＯＭドライブ、ハードディスクや電池等を収納するための収納部１４２が設けられている。収納部１４２を囲む一つの側壁１４４には、嵌合部１４６が設けられている。嵌合部１４６は、側壁１４４に収納部１４２に向かって凹設されている。
【００１３】
取り外し機構２０は、ドローバー２００、係合部２３０及びロック部２４０を含む。ロック部２４０はドローバー２００に係合されて、収納部１４２が開くことを防ぐ。係合部２３０はドローバー２００に係合され、ドローバー２００が自由に滑動することを防ぐ。
【００１４】
図３は、図１に示した取り外し機構２０の立体図である。図３に示したように、前記ドローバー２００は板状である。このドローバー２００は、本体２０５と、本体２０５の一端に設けた取っ手２０２と、本体２０５の他端に設けた牽引部２０４を含む。即ち、取っ手２０２と牽引部２０４とは、ドローバー２００の両端部から延長された部分に形成されている。この取っ手２０２によって、使用者はドローバー２００を簡便に進退可能となる。
【００１５】
ドローバー２００の本体２０５で、取っ手２０２の近所に滑動用槽２０６が設けられている。この滑動用槽２０６は階段状の槽で、半閉形に形成される滑動部２０８とガイド部２１０とを含む。滑動部２０８は略長方形である。ガイド部２１０は順番に形成された最初段２１２、作用段２１４及び滑動段２１６を含む。これで、滑動部２０８、最初段２１２及び滑動段２１６は互いに平行とされる。
【００１６】
ドローバー２００の本体２０５には、二つの位置決定用槽２２０が設けられている。この位置決定用槽２２０は略長方形で、両端が半円状に設けられている。ネジ３２（図２を参照）は、この位置決定用槽２２０を介して、ドローバー２００をカバー３０に固定する。嵌入部２２２が、ドローバー２００の前記牽引部２０４の近傍に設けられている。この嵌入部２２２の頭部は自由端であり、根部はドローバー２００の本体２０５に一体に形成されている。この嵌入部２２２は、根部の幅が頭部の幅より狭い矢印状に形成されている。
【００１７】
前記係合部２３０は略長方形である。この係合部２３０は、凸部２３２と、係合体２３４と、係合機構２３６とを含む。前記凸部２３２と係合体２３４との側面は、すべて等しい幅を有する長方形である。この側面では、フランジ部２３２の幅と係合体２３４の幅とは同一であり、フランジ部２３２の長さが係合体２３４の長さよりも長い。係合機構２３６は係合体２３４の側面に突設されている。この係合機構２３６は、係合体２３４に対して垂直とされ且つ凸部２３２と対向する垂直面２３３と、この垂直面２３３に対して傾斜している斜面２３５とを含む。
【００１８】
凸部２３２の略中央部には、嵌入部２２２が挿通されるように適合された矩形の係合孔２３８が設けられている。この係合孔２３８の最大幅は、嵌入部２２２の最大幅よりも僅かに小さい。これによって、この係合部２３０を略円柱体に設け、係合孔２３８も略円柱孔に設けることができる。この場合には、この係合孔２３８の最大内径は、嵌入部２２２の最大幅よりも僅かに小さい。
【００１９】
ロック部２４０は、スプリング２５２とロック棒２６０とを含み、このスプリング２５２はロック棒２６０に推進弾性力を提供する。ロック棒２６０は、装着棒２６２、フランジ部２６４、片側に略平坦な平面が設けられるシャフト２６６、そのシャフト２６６の片側に設けられた受力柱２６８を含む。フランジ部２６４は、装着棒２６２とシャフト２６６との間に連結され、装着棒２６２の径方向へ突出して形成された皿状体である。シャフト２６６の端末には、斜面を有する自由端２６７が設けられている。受力柱２６８は、シャフト２６６の中間部から垂直へ突出して形成された柱状体である。
【００２０】
図４は、図１に示したカバー３０の立体図である。このカバー３０は、載置台１４及び取り外し機構２０の側に配置されている。カバー３０の上には、前記ロック部２４０を装着するための第一装着板３０２と第二装着板３０４とが設けられている。第一装着板３０２と第二装着板３０４とは互いに平行であり、両者間の距離がスプリング２５２の自然長よりも短い。
【００２１】
第一装着板３０２には、装着棒２６２が挿入される第一切欠部３０６が設けられ、この第一切欠部３０６の両側にはスプリング２５２が滑動することを防ぐ二つの止動板３０８が設けられている。この止動板３０８は第一装着板３０２から第二装着板３０４に向かって第一装着板３０２に対して垂直に突出して形成されている。この二つの止動板３０８は互いに平行であり、且つ両者間の距離がスプリング２５２の端面の最大外径より大きい。第二装着板３０４には、シャフト２６６が挿入される第二切欠部３１０が設けられ、且つ、カバー３０にはドローバー２００を固定するためのネジ孔３２０と係合部２３０とを装着するための装着孔３３０が設けられている。
【００２２】
図５は、図１に示した取り外し機構２０が部品交換装置１２に装着された状態を示す断面図である。以下、図１〜図５を参照して本発明の部品交換装置１２の組立過程を説明する。組み立てる場合には、スプリング２５２を装着棒２６２に挿入した後に、このスプリング２５２を圧縮し、ロック部２４０をカバー３０に装着する。そうすると、装着棒２６２が第一切欠部３０６を貫通し、シャフト２６６が第二切欠部３１０を貫通する。スプリング２５２の一端は第一装着板３０２に圧接され、その他端はフランジ部２６４に圧接される。
【００２３】
スプリング２５２の弾性力によって、フランジ部２６４が第二装着板３０４に圧力を加えるので、カバー３０に装着されたロック部２４０は自由に移動することができず、且つ、スプリング２５２が二つの止動板３０８に嵌入されるので、第一装着板３０２の上で自由に滑動することができない。
【００２４】
係合部２３０を装着孔３３０に挿入し、係合部２３０の凸部２３２が装着孔３３０の端面に接続されるようにする。係合機構２３６の斜面２３５が装着孔３３０を確実に貫通した場合に、係合部２３０がカバー３０に係合される。これによって、係合部２３０が凸部２３２と係合機構２３６とを介して装着孔３３０に係合され、係合部２３０がカバー３０から脱落することを防止する。
【００２５】
位置決定用槽２２０がネジ孔３２０に合うように、受力柱２６８を滑動用槽２０６に装着する。この後に、ネジ３２をネジ孔３２０に位置決定用槽２２０を介して係合することによって、ドローバー２００がカバー３０に装着される。この場合には、ネジ３２がドローバー２００をカバー３０に確実に固定していないので、ドローバー２００は、位置決定用槽２２０の長手方向に沿ってカバー３０の上で滑動可能となる。代替的には、ネジ３２の代わりにカバー３０の上に突柱を設けることができる。即ち、カバー３０の上に設けた突柱を位置決定用槽２２０に挿入して、ドローバー２００の移動範囲を決定する。
【００２６】
組み立てが完了すると、ガイド部２１０の作用段２１４とロック棒２６０との間に鋭角が形成される。この作用段２１４は受力柱２６８に推力を加えて、スプリング２５２を圧縮した状態でロック棒２６０を移動させる。作用段２１４と最初段２１２との連結部は、作用段２１４と滑動段２１６との連結部よりも載置台１４に接近する。即ち、作用段２１４が最初段２１２と滑動段２１６との間で傾斜した状態で連結されているので、ロック棒２６０は、作用段２１４が受力柱２６８を押した状態で載置台１４に接近するか、又は離間する方向に移動され、載置台１４を装着するか、又は開放する。
【００２７】
図６に示したように、載置台１４を装着する場合には、載置台１４を閉鎖する方向へ押す。このとき、自由端２６７の斜面が載置台１４に圧接されて、シャフト２６６がスプリング２５２を圧縮する方向へ移動可能となるので、シャフト２６６は載置台１４の前進を阻止しない。載置台１４を閉鎖する方向へずっと押すと、シャフト２６６の自由端２６７が載置台１４の嵌合部１４６に嵌合されるので、載置台１４の前進が阻止され、これ以上は前進不可能となる。載置台１４を装着すると、牽引部２０４が載置台１４に接近され、載置台１４は牽引部２０４の取り出す方向に載置される。
【００２８】
シャフト２６６の自由端２６７に斜面を設けない場合には、以下に示す方法で装着することができる。牽引部２０４を取り出す方向へ引くと、受力柱２６８が作用段２１４の推力を受けるので、ロック棒２６０がスプリング２５２を圧縮する方向へ移動され、受力柱２６８が滑動段２１６に到着する。載置台１４に相対して、滑動段２１６が最初段２１２より遠いので、シャフト２６６が載置台１４を阻止しない。即ち、シャフト２６６が載置台１４の移動を阻止しないので、載置台１４を装着する方向へ移動させることができる。
【００２９】
図５に示したように、装着する方向へ載置台１４を移動させると、牽引部２０４が載置台１４の推力によって、載置台１４を装着する方向へ移動させる。この後に、取っ手２０２を通してドローバー２００を装着する方向へ押す。受力柱２６８が作用段２１４に到達した場合には、スプリング２５２の弾性力によって、受力柱２６８が作用段２１４から最初段２１２へ滑動し、スプリング２５２が伸長される。この場合には、シャフト２６６の自由端２６７が載置台１４の嵌合部１４６に嵌合されるので、載置台１４の移動を阻止する。即ち、載置台１４は移動することができない。
【００３０】
ドローバー２００を装着する方向へ押す場合には、ドローバー２００の嵌入部２２２が係合部２３０の係合孔２３８に挿入される。係合孔２３８の幅が嵌入部２２２の幅よりも小さく、且つ嵌入部２２２を係合孔２３８に挿入した場合には、係合孔２３８を囲む凸部２３２に圧接されるので、ドローバー２００が自由に移動し、載置台１４が連動されることを防ぐことができる。また、嵌入部２２２を係合孔２３８に挿入する場合に生じる抵抗力は使用者の手を介して使用者に伝達されるので、使用者はドローバー２００が完全に挿入されているか否かを確認することができる。
【００３１】
載置台１４を取り出す際に取り出す方向へドローバー２００を引くと、嵌入部２２２が係合孔２３８から離れる。ロック棒２６０の受力柱２６８はガイド部２１０の作用段２１４の推力を受けるので、ロック棒２６０は、スプリング２５２を圧縮した状態でドローバー２００の移動方向に対して垂直方向に移動される。シャフト２６６の自由端２６７が載置台１４の嵌合部１４６から離れ、載置台１４のロック状態が解除されるので、載置台１４は推力によって移動され得る。ドローバー２００を引く場合には、位置決定用槽２２０に装着されたネジ３２によって、ドローバー２００は一定距離の範囲で移動可能とされ、完全に脱落することはない。
【００３２】
取っ手２０２を取り出す方向へ引くと、受力柱２６８が滑動段２１６で滑動する。取っ手２０２の移動の線路に置かれる載置台１４も牽引部２０４の推力によって取り出す方向に移動する。
【００３３】
また、カバー３０に弾性部品を設けて、完全に装着した載置台１４が、この弾性部品を直接的に圧接することもできる。この載置台１４を開放する場合には、取っ手２０２を引いて、ロック棒２６０による載置台１４のロック状態を解除すると、この載置台１４が前記弾性部品の弾性力によって開放する方向へ自動的に移動されるので、取り外し機構２０のドローバー２００に牽引部２０４を設ける必要はない。載置台１４が開けば、載置台１４内の部品、例えばＣＤ−ＲＯＭドライブ、電池等を交換することができる。
【００３４】
上述したように、取り外し機構２０のドローバー２００を一の方向へ引くと、ロック棒２６０による載置台１４のロック状態を解除可能であるので、載置台１４の上のＣＤ−ＲＯＭドライブ、電池等部品を簡単且つ便利に交換可能である。
【００３５】
取り外し機構２０においては、スプリング２５２の代りに他の弾性部品を使うこともできる。図７に示したように、取り外し機構４０のドローバー４００に、取り外し機構２０の滑動用槽２０６を設けず、最初段４１２、作用段４１４及び滑動段４１６を含むガイド部４１０を直接的にドローバー４００の側壁に設けることもできる。二つの位置決定用槽４２０を設けず、一つの位置決定用槽４２０を設ける場合もある。この取り外し機構４０と取り外し機構２０との作動原理は類似している。即ち、ドローバー４００を引く場合には、作用段４１４が受力柱２６８に推力を加えて、ドローバー４００が載置台１４を引き出すようになっている。
【００３６】
図８に示したように、部品交換装置５２の嵌合部５４６は、載置台５４の側壁５４４から突出され形成されている。この嵌合部５４６は自由端２６７に係合される斜面５４３と止動するための垂直面５４５とを含む。載置台５４を装着する場合には、嵌合部５４６の斜面５４３が自由端２６７に推力を加え、スプリング２５２を圧縮する。載置台５４を完全に装着した場合には、この自由端２６７が嵌合部５４６の垂直面５４５に係合されるので、載置台５４の自由な移動を防ぐことができる。
【図面の簡単な説明】
【００３７】
【図１】本発明の第一実施形態に係わる部品交換装置を示す立体図である。
【図２】図１に示した部品交換装置の立体分解図である。
【図３】図１に示した取り外し機構の立体図である。
【図４】図１に示したカバーの立体図である。
【図５】図１の取り外し機構が部品交換装置に装着されたのを示す断面図である。
【図６】図１の取り外し機構が開放する過程に置かれるのを示す断面図である。
【図７】本発明の他の実施形態に係わる部品交換装置の取り外し機構を示す立体分解図である。
【図８】本発明の他の実施形態に係わる部品交換装置を示す立体分解図である。
【符号の説明】
【００３８】
１２  部品交換装置
１４  載置台
２０  取り外し機構
３０  カバー
３２  ネジ
４０  取り外し機構
５２  部品交換装置
５４  載置台
１４２  収納部
１４４  側壁
１４６  嵌合部
２００  ドローバー
２０２  取っ手
２０４  牽引部
２０５  本体
２０６  滑動用槽
２０８  滑動部
２１０  ガイド部
２１２  最初段
２１４  作用段
２１６  滑動段
２２０  位置決定用槽
２２２  嵌入部
２３０  係合部
２３２  凸部
２３３  垂直面
２３４  係合体
２３５  斜面
２３６  係合機構
２３８  係合孔
２４０  ロック部
２５２  スプリング
２６０  ロック棒
２６２  装着棒
２６４  フランジ部
２６６  シャフト
２６７  自由端
２６８  受力柱
３０２  第一装着板
３０４  第二装着板
３０６  第一切欠部
３０８  止動板
３１０  第二切欠部
３２０  ネジ孔
３３０  装着孔
４００  ドローバー
４１０  ガイド部
４１２  最初段
４１４  作用段
４１６  滑動段
４４０  位置決定用槽
５４３  斜面
５４５  垂直面
５４４  側壁
５４６  嵌合部
【図１】
0004805873.tif 000002
【図２】
0004805873.tif 000003
【図３】
0004805873.tif 000004
【図４】
0004805873.tif 000005
【図５】
0004805873.tif 000006
【図６】
0004805873.tif 000007
【図７】
0004805873.tif 000008
【図８】
0004805873.tif 000009